(57)【要約】【課題】  扱室の前方から揺動選別体上の右側に流入する扱卸物と、二番還元物が一緒になって選別層の不均衡が揺動選別体上に生じ、選別風の不足や穀粒の回収率が低下する等の課題がある。【解決手段】  二番還元物を揚穀機に連結させた搬送手段により、揺動選別体の始端側に還元する二番処理装置を備えたものにおいて、揺動選別体１の始端側にガイド板２を装着し、該揺動選別体1側に突設した横移送装置Ａが前記ガイド板２を跨ぐ配置にするとともに、該ガイド板２に設けた傾斜面５の上方に処理機能を有する該横移送装置Ａの終端部３を臨ませ、二番還元物を扱卸物の少ない外側通路３７に供給して穀粒の拡散を安定させた揺動選別装置の提供である。【選択図】  図４
2005328736.tif 000002
【特許請求の範囲】
【請求項１】
扱胴を回転自在に架設した扱室の下方に風選部を並設し、扱胴の軸芯方向に扱卸物を移送しながら粗選別をする揺動選別体を設け、該風選部で分離した二番還元物を揚穀機に連結させた搬送手段によって、前記揺動選別体の上面に放出する二番還元装置を備えた脱穀機において、揺動選別体（１）の始端側にガイド板（２）を装着し、該揺動選別体（１）側に突設させた横移送装置（Ａ）が前記ガイド板（２）を跨ぐ構成にしたことを特徴とする脱穀機の揺動選別装置。
【請求項２】
ガイド板（２）の上縁を揚穀機（Ｅ）側に折曲げて傾斜面（５）を形成し、該傾斜面（５）の上方に横移送装置（Ａ）の終端部（３）を臨ませたことを特徴とする請求項１に記載した脱穀機の揺動選別装置。
【請求項３】
横移送装置（Ａ）に処理歯（４４）を植設した螺旋コンベヤ（４３）を内設させたことを特徴とする請求項１又は請求項２に記載した脱穀機の揺動選別装置。
【発明の詳細な説明】
【技術分野】
【０００１】
本発明は、脱穀機の風選部で分離した二番還元物を揺動選別体の上面に還元し
、選別幅に拡散させる揺動選別装置に関するものである。
【背景技術】
【０００２】
従来、処理胴等を介して落下する二番還元物が揺動選別装置の一側方（扱胴回転の下手側）に集中するために、選別幅に拡散させるガイド板を折曲げて傾斜面を形成した公知技術がある（例えば特許文献１参照。）。又、非選別物が揺動選別体のグレンパン上に均等分散するようにガイド板を設け、該ガイド板の上縁側を横外側方向に折曲げて選別幅の中心方向に二番還元物を寄せる構成にしたものがある（例えば特許文献２参照。）。しかしながら、放出方向が広がる跳出羽根や処理胴を介した拡散構造にしたものであって、ガイド板に対して落下量と放出位置が安定しない構成になっている。
【０００３】
【特許文献１】実開昭６２−１６２９３７号公報（第２−３頁、第１―２図）
【特許文献２】実開平０５−６０２３９号公報（第３−４頁、第２−４図）
【発明の開示】
【発明が解決しようとする課題】
【０００４】
扱室の前方から揺動選別体上の右側に流入する多くの扱卸物と、二番還元物が一緒になって選別層の不均衡を生じ、選別風の不足や良穀粒の回収率が低下する等の課題がある。これを防止するために前記二番還元物の搬送手段とガイド板の組合せによって、扱卸物と二番還元物を個別の通路に供給して拡散させるものである。
【課題を解決するための手段】
【０００５】
このような課題を解消する本発明は、風選部で分離した二番還元物を揚穀機に連結させた搬送手段によって、揺動選別体の上面に放出する二番還元装置を備えた脱穀機において、揺動選別体の始端側にガイド板を装着し、該揺動選別体側に突設させた横移送装置が前記ガイド板を跨ぐ構成にして、二番還元物を選別層の薄い外側通路に供給する構成にした。
【０００６】
ガイド板の上縁を揚穀機側に折曲げて傾斜面を形成し、該傾斜面の上方に横移送装置の終端部を臨ませ、放出する還元物を内側に誘導しながら選別幅の中心方向に拡散するガイド板の構成にした。
【０００７】
横移送装置に処理歯を植設した螺旋コンベヤを内設させ、二番還元物を搬送中に処理して揺動選別体の外側通路に全量を放出する構成にした。
【発明の効果】
【０００８】
揺動選別体１上に放出する形態が従来の跳出し方式から横移送装置Ａにしたので、二番還元物が所定の位置に放出され易くなり、しかも、揚穀機Ｅ側に上縁を折曲げた傾斜面５で還元物を内側に誘導し、選別層の薄い外側通路３７に該二番還元物の略全量が供給でき、選別幅の中心Ｐに向けた拡散が安定して行え選別性能を一層向上させた。又、螺旋コンベヤ４３が内設された横移送装置Ａを用いたことから、従来の跳出し方式に比べて該ガイド板２に衝突する穀粒の勢いが減衰し、フィードパン３０上で乱反射して選別されずに機外に排出される穀粒を防止することができる効果がある。
【発明を実施するための最良の形態】
【０００９】
次に、本発明の実施形態をコンバインに搭載した脱穀部の実施例図を参照に説明すると、図１はコンバインの全体側面図、図２は要部を断面した脱穀部の正面図であって、その構造概要は左右一対のクローラ走行装置１０に支持された機台１１の上に脱穀部Ｂを搭載し、前方に昇降自在の刈取部Ｄを装着して刈高さ調節を行ないながら分草板１２で傾倒穀稈を浮揚させ、刈刃１３で切断した穀稈を後方に連設する揚上搬送装置１５で挟扼搬送し、前記脱穀部Ｂに横設したフィードチェン１６の始端側に受継がせる刈取り搬送経路にしてある。該フィードチェン１６に受継いだ刈取り穀稈を扱室７に装架した扱胴８の回転によって脱粒処理を行い、周設した受け網２０から扱卸物が揺動選別体１のフィードパン３０上に落下し、前後方向に揺動運動をするチャフシーブ２１等で後方に搬送しながら穀粒と塵埃を分別する粗選別が行われ、揺動選別装置の下方に併設した風選部２２に非選別物を誘導して、矢印イ方向の選別風で良穀粒を分離して脱穀部Ｂの機外に搬出すようにしたコンバインの構成である。
【００１０】
脱穀した扱卸物の選別経路は、扱室７で発生した穀粒と未処理物や塵埃が受け網２０から漏下して扱卸物となり、前後に揺動運動をする揺動選別体１上に落下して粗選別を受けながら下手側に移動し、連設したチャフシーブ２１の始端側に送穀した後に風選部２２で良穀粒が分離され、一番回収域２３に集穀した仕上がり穀粒を一番コンベヤ２４を介して機外に搬出する経路と、枝梗付着粒と少量の単粒が混入する二番還元物を後方に配置した二番回収域２５に落下させ、二番コンベヤ２８に連結した揚穀機Ｅで前記揺動選別体１上に還元する経路に分別してある。又、藁屑等の塵埃は風選部２２の前方に設けた唐箕ファン２６の選別風によって吹飛ばし、機体の後方上に配設した吸引ファン２７で機外に排塵する連通した選別経路にしたものである。
【００１１】
図３は揺動選別体の始端側を示す側面図であって、図４の平面図と図２の正面図を併用して本発明の要旨であるガイド板２と、横移送装置Ａの受継ぎ構造について説明すると、揺動選別体１の始端側上面にフィードパン３０を張設し、これに連なる一群のフィン３１を角度調節可能に装着してチャフシーブ２１を形成したものであり、その下層に設けたグレンシーブ３２と一体化した揺動選別装置にし、前後の揺動運動によって非選別物の粗選別を行うものである。
【００１２】
このようなフィードパン３０上に放出する横移送装置Ａを風選室２２の外側板３３から揺動選別体１の上方に突設させ、該フィードパン３０に固着した右ガイド板３５とガイド板２を跨ぐ内側に放出口３６を開口し、処理歯４４を螺旋コンベヤ４３の外周に植設した処理胴を前記横移送装置Ａに内設して、二番還元物に混在する未処理物を横搬送中に単粒化させる構成にしてある。
【００１３】
処理後の二番還元物を矢印ロで示す外側通路３７に放出し、扱胴８が回転する上手側の受け網２０から落下する扱卸物と一緒にして拡散させる通路にしてあり、
該扱胴８が回転する下手側から落下する矢印ハ方向の扱卸物が中通路３８に落流し、該中通路３８には主に扱卸物が供給され、前述した外側通路３７には二番還元物を供給する拡散通路に分別したものである。又、選別幅の右側に片寄る扱卸物を均等化させる右ガイド板３５は、その前端を揺動選別枠４０に接合させて横移送装置Ａの下側に揺動自在に設置し、該横移送装置Ａよりも後方の該扱室７から落下する扱卸物を揺動選別体１上の右側に流入し易くした右通路４５の構成にしたものである。
【００１４】
フィードパン３０に固着した右ガイド板３５に並設したガイド板２の構造は、上縁側４１を揚穀機Ｅ側に向けて折曲げ、揺動選別体１の内方側に突設する横移送装置Ａの終端部３に対し、折曲げた傾斜面５が内向きに傾斜する形状になり、前記フィードパン３０とともに揺動自在に装着してある。又、受け網２０の下端と前記フィードパン３０との隙間が狭くなる選別空間４２の奥深く拡散させるために、二番還元物の放出を折曲げた傾斜面５で一旦受け止めてから、リード角Ｃを有する垂直作用面６に案内し、前述する右ガイド板３５と同様に選別幅の中心Ｐに近い位置に前記二番還元物を誘導させる構成にしたものである。
【００１５】
このように右ガイド板３５とガイド板２でフィードパン３０上に形成された拡散通路は、平面視で右側から扱室７の後方から落下するものを拡散する右通路４５にし、次いで扱室７の始端側前方から落下する多量の扱卸物を後送する中通路３８がガイド板２との間に設けられ、折曲げた傾斜面５を有するガイド板２で区分した左側に外側通路３７を形成して、横移送装置Ａで処理した二番還元物の全量を該外側通路３７に流入させる３方向の異なる拡散通路にし、選別層の均等化を可能にして粗選別が効果的に行える揺動選別装置になった。
【００１６】
図５はガイド板を断面した拡大図であって、図４の平面図を併用して拡散する穀粒の流れを説明すると、ガイド板２と右ガイド板３５に挟まれた中通路３８を移動する扱卸物の量が多くなった場合でも、矢印ニの方向に乗越える穀粒を庇状にした傾斜面５が押え込み、外側通路３７に溢れて選別層が不均一になることを防止し、揺動運動に伴う搬送穀粒の溢れる現象を抑制するとともに選別幅の中心Ｐに向け拡散が連続して行える前記ガイド板２の構造にしたものである。
【００１７】
以上説明したように揺動選別体１上に放出する形態を従来の跳出し構造から、螺旋コンベヤ４３が内設された横移送装置Ａを用いたので、二番還元物を所定の位置に還元できるようになり、しかも、揚穀機Ｅ側に折曲げた傾斜面５で前記二番還元物を選別幅の中心Ｐ側に向けて誘導し、選別層の薄い外側通路３７に放出した二番還元物と扱卸物の双方が選別幅の全幅に渡り拡散でき選別性能が一層向上した。又、螺旋コンベヤ４３による放出であるために前記ガイド板２に衝突する穀粒の勢いが減衰され、フィードパン３０上で乱反射して選別されずに機外に排出される穀粒が防止できる効果がある。
【００１８】
又、フィードパン３０上を移動する扱卸物の量が増加した場合に、中通路３８に隣接するガイド板２を乗越して外側通路３７側に溢れ選別層を不均一にすることがあるが、前記ガイド板２に設けた傾斜面５が庇状になって溢流する現象を押え込み、高能率の作業においても選別幅の中心Ｐに向けた非選別物の拡散が連続して行え、選別層の変化を減少させる特性がある。
【産業上の利用可能性】
【００１９】
穀物等の揺動選別を狭い空間で行う場合に、高さの低いガイド板の上縁を折曲げて穀粒を誘導し、搬送幅の全体で穀粒層を均等化して選別性能を安定させる選別装置に活用できる。
【図面の簡単な説明】
【００２０】
【図１】コンバインの全体側面図である。
【図２】要部を断面した脱穀部の正面図である。
【図３】揺動選別体の始端側を示す側面図である。
【図４】揺動選別体の始端側を示す平面図である。
【図５】ガイド板を断面した拡大図である。
【符号の説明】
【００２１】
Ａ・・横移送装置          Ｂ・・脱穀部            Ｐ・・選別幅の中心
Ｅ・・揚穀機
１・・揺動選別体          ２・・ガイド板          ３・・終端部
５・・傾斜面              ７・・扱室            １６・・フィードチェン
２０・・受け網            ２１・・チャフシーブ    ２２・・風選部
３１・・フィン            ３３・・外側板          ３５・・右ガイド板
３６・・放出口            ３７・・外側通路        ３８・・中通路
４０・・揺動選別枠        ４２・・選別空間        ４３・・螺旋コンベヤ
４４・・処理歯            ４５・・右通路
矢印ロ・・二番還元物の放出方向
矢印ハ・・扱室前側の漏下方向
矢印ニ・・中通路を溢流する穀粒の方向
【図１】
2005328736.tif 000003
【図２】
2005328736.tif 000004
【図３】
2005328736.tif 000005
【図４】
2005328736.tif 000006
【図５】
2005328736.tif 000007